(57)【要約】【課題】コンクリートスラブの施工時に支保工を必要とせず、しかも、形成されたコンクリートスラブから容易に回収して再利用することができるデッキプレートを提供する。【解決手段】本発明のデッキプレート１ａは、型枠部材５２，５３からなり、雌ネジ部が内周面に形成されたボルト孔２が型枠部材５２を構成する角パイプ５７の下面５７ｃに設けられており、このボルト孔２に対し、上記雌ネジ部に螺合するボルト３が角パイプ５７の内部へ突出した先端３ａによって角パイプ５６の下面５６ｃを押圧可能に螺入されている。【選択図】図１
2019167783.tif 000002
【特許請求の範囲】
【請求項１】
建築物の床や天井等にコンクリートスラブを形成する際に型枠の一部として用いられるデッキプレートであって、
一端から所望の長さにわたって扁平状に押し潰されてそれぞれ平坦部が設けられるとともに開口端同士が挿通可能に形成された第１の角パイプ及び第２の角パイプと、
前記第１の角パイプの上面が前記開口端から所望の距離内にある箇所を除いて下面に接合された第１の平板と、
前記第２の角パイプの上面が下面に接合された第２の平板と、
前記第２の角パイプの下面に設けられた第１のボルト孔に螺合するボルトと、を備え、
前記第１の平板及び前記第２の平板は、
前記第１の角パイプを前記第２の角パイプへ内挿可能に、前記第１の角パイプ及び前記第２の角パイプに対してそれぞれ接合され、
前記第１のボルト孔は、
前記第２の角パイプの内部に突出するように螺入された前記ボルトの先端によって前記第１の角パイプの下面を押圧可能な箇所に形成されていることを特徴とするデッキプレート。
【請求項２】
前記ボルトと螺合する第２のボルト孔を有する台座を備え、
この台座は、前記第２の角パイプの前記下面に対し、前記第１のボルト孔に前記第２のボルト孔が連通するように設けられていることを特徴とする請求項１に記載のデッキプレート。
【請求項３】
前記第２の角パイプの前記下面には、前記第１のボルト孔の代わりに、前記ボルトが挿通される挿通孔が前記第２のボルト孔に連通するように設けられていることを特徴とする請求項２に記載のデッキプレート。
【請求項４】
前記第２の角パイプは、前記開口端から長手方向へ所望の長さにわたって、他の部分よりも厚く形成されていることを特徴とする請求項１乃至請求項３のいずれか１項に記載のデッキプレート。
【請求項５】
前記第２の角パイプは、前記第２の平板と接触しない３つの側板の外面に対し、前記開口端から長手方向へ所望の長さにわたって補強板が接合されていることを特徴とする請求項４に記載のデッキプレート。
【請求項６】
前記第２の角パイプは、４つの側板の内面に対し、前記開口端から長手方向へ所望の長さにわたって補強板が接合されていることを特徴とする請求項４に記載のデッキプレート。
【発明の詳細な説明】
【技術分野】
【０００１】
本発明は、建築物の床や天井等にコンクリートスラブを形成する際に型枠の一部として用いられるデッキプレートに係り、特に、コンクリートスラブの施工時に支保工を必要としないデッキプレートに関する。
【背景技術】
【０００２】
鉄筋コンクリートや鉄骨鉄筋コンクリートを構造材料とする建築物では、鋼製の板材を加工したデッキプレートがコンクリートスラブを形成するための型枠の一部として用いられることがある。
一般に、デッキプレートは再利用の目的でスラブ施工後に撤去されるが、従来、デッキプレートは梁の上面に溶接されたり、ボルト締め等によって梁などに固定されたりしていたため、コンクリートが固化した後は、形成されたスラブに埋もれてしまい、その中から使用済みのデッキプレートを取り出すことは極めて困難であった。
【０００３】
そのため、近年では、全長を容易に変更できる構造のデッキプレートが用いられることが多い。ここで、そのようなデッキプレートの構造について図６を用いて説明する。
図６（ａ）は従来のデッキプレートの正面図であり、図６（ｂ）及び図６（ｃ）は図６（ａ）に示したデッキプレートを構成する２種類の型枠部材の平面図である。なお、図６（ｂ）及び図６（ｃ）は図６（ａ）において矢印Ｙで示す方向に見たデッキプレートを２つの型枠部材に分解した状態を示す図に相当する。
【０００４】
図６（ａ）乃至図６（ｃ）に示すように、従来のデッキプレート５１は、コンクリートを打設する際に上面５４ａ，５５ａが成型面となる平板５４，５５と、この平板５４，５５の下面５４ｂ，５５ｂに溶接や接着あるいはリベットやビスによって固定される角パイプ５６，５７によって構成される厚さ０．８ｍｍ程度の鋼板製の型枠部材５２，５３からなる。
【０００５】
角パイプ５６，５７はいずれも一端が扁平状に押圧変形されており、この端部（以下、扁平端５６ｂ，５７ｂという。）を閉塞するように鋼板製の長尺部材（図示せず）がその内部に挿設されている。そして、角パイプ５６の外径は角パイプ５７の内径よりも小さく、開口端５６ａは開口端５７ａに対して挿通可能に形成されている。
【０００６】
角パイプ５６の上面は平板５４に対し、長手方向の中央付近と扁平端５６ｂの近傍の２か所がスポット溶接されており、角パイプ５７の上面は平板５５に対し、長手方向の中央付近と両端近傍の３か所がスポット溶接されている。すなわち、角パイプ５６は開口端５６ａから所望の距離内にある箇所を除いて平板５４の下面５４ｂに接合されている。
これにより、型枠部材５２は、型枠部材５３の角パイプ５７の内部に角パイプ５６を挿通するようにして、平板５４の下面５４ｂと角パイプ５６の上面の間に、平板５５を所望の長さだけ内挿可能となっている。
【０００７】
すなわち、デッキプレート５１は、角パイプ５６の開口端５６ａの側を角パイプ５７に開口端５７ａの側から内挿するようにして型枠部材５２を型枠部材５３に連結し、図６（ａ）に矢印Ｘで示すように型枠部材５２，５３を互いにスライドさせることにより、全長を容易に調節可能な構造となっている。
なお、平板５４，５５は厚さが０．８ｍｍ程度と薄いため、平板５４の下面５４ｂと角パイプ５６の上面の間に平板５５を挿入して平板５４，５５の一部を重ね合わせた後、上面５４ａ，５５ａにコンクリートを打設した場合でも、平板５４の下面５４ｂと平板５５の上面５５ａの間にコンクリートが入り込むおそれはない。
【０００８】
次に、このデッキプレート５１を用いたコンクリートスラブの施工方法について図７を用いて説明する。なお、図７（ａ）及び図７（ｂ）はコンクリートスラブが形成される様子を模式的に示した図である。
図７（ａ）に示すように、まず、既に形成されている下階のスラブ５８等の上に支保工５９を組み上げ、この支保工５９の上に梁型枠６０を設置する。
次に、型枠部材５２，５３をスライドさせて全体を適切な長さに調節した後、対向する２つの梁型枠６０，６０の側部に固定された角材６１，６１の上面に両端をそれぞれ載置するようにしてデッキプレート５１を設置する。
【０００９】
さらに、梁型枠６０，６０の間に設置された支保工５９の上に枕木６２を載置してデッキプレート５１の中央部を支持した後、複数のデッキプレート５１の平板５４，５５の上面５４ａ，５５ａに鉄筋からなるスラブ型枠（図示せず）を形成し、このスラブ型枠内にコンクリートを打設する。
コンクリートが固化して梁６３とスラブ６４が形成された段階で上記スラブ型枠や支保工５９、あるいは梁型枠６０やデッキプレート５１などを撤去することになるが、その際、全ての支保工５９を一度に撤去してしまうと、支えを失ったデッキプレート５１が不用意に落下してしまうおそれがある。そのため、通常、所定のデッキプレート５１に対し、枕木６２で支持していた箇所とは別の箇所を支持する目的で新たな支保工５９が設置される（図７（ｂ）参照）。
そして、全てのデッキプレート５１を撤去した後、上記スラブ型枠と支保工５９及び梁型枠６０を撤去する。
【００１０】
図７（ｂ）に示すように、デッキプレート５１が梁型枠６０，６０の側部に固定された角材６１，６１の間に架け渡された状態にある場合、デッキプレート５１には、その長手方向の中央部を最も大きく撓ませるような曲げモーメントが発生する。
この曲げモーメントの作用によってデッキプレート５１が撓んでしまうと、スラブ６４の平坦度が保たれなくなるなどの不具合が生じるため、デッキプレート５１を用いてコンクリートスラブを形成する際には、上述したように、支保工５９の設置が必須となっている。
しかしながら、このように支保工５９を使用した場合、材料費がかかるだけでなく、設置や撤去に時間を要し、全体の工期が長くなることから、作業コストが嵩んでしまうという課題があった。
【００１１】
デッキプレート５１のような全長を変更できる構造ではないが、例えば、特許文献１には支保工を必要としないスラブ施工方法が記載されている。
特許文献１に開示された発明は、「ハニカム型デッキプレート」という名称で、上下対称に重ね合わせた２枚のデッキプレートが重合部の溶接によって一体化されたことを特徴としている。
上記構造のデッキプレートにおいては、コンクリートの打設時の撓みに対応してキャンバー（むくり）を容易に形成することが可能である。そして、このようにデッキプレートにキャンバーを形成した場合、曲げモーメントの作用によって発生する長手方向中央部の撓みが小さくなるため、コンクリートスラブを施工する際に支保工の設置を省略することができる。
【先行技術文献】
【特許文献】
【００１２】
【特許文献１】特開平１１−１１７４４１号公報
【発明の概要】
【発明が解決しようとする課題】
【００１３】
特許文献１に開示された発明では、コンクリートスラブの施工時に支保工の設置を省略できるというメリットはあるものの、全体の長さを変更できる構造ではないため、コンクリートスラブが形成された後に、その中から使用済みのデッキプレートを取り出すことは容易でない。したがって、特許文献１に開示された発明においては、デッキプレートの再利用ができないという課題があった。
【００１４】
本発明は、このような従来の事情に対処してなされたものであり、コンクリートスラブの施工時に支保工を必要とせず、しかも、形成されたコンクリートスラブから容易に回収して再利用することができるデッキプレートを提供することを目的とする。
【課題を解決するための手段】
【００１５】
上記目的を達成するため、第１の発明は、建築物の床や天井等にコンクリートスラブを形成する際に型枠の一部として用いられるデッキプレートであって、一端から所望の長さにわたって扁平状に押し潰されてそれぞれ平坦部が設けられるとともに開口端同士が挿通可能に形成された第１の角パイプ及び第２の角パイプと、第１の角パイプの上面が開口端から所望の距離内にある箇所を除いて下面に接合された第１の平板と、第２の角パイプの上面が下面に接合された第２の平板と、第２の角パイプの下面に設けられた第１のボルト孔に螺合するボルトと、を備え、第１の平板及び第２の平板は、第１の角パイプを第２の角パイプへ内挿可能に、第１の角パイプ及び第２の角パイプに対してそれぞれ接合され、第１のボルト孔は、第２の角パイプの内部に突出するように螺入されたボルトの先端によって第１の角パイプの下面を押圧可能な箇所に形成されていることを特徴とするものである。
【００１６】
なお、本発明において、「第１の角パイプや第２の角パイプの端部から所望の長さや距離」とは、「第１の角パイプや第２の角パイプの長手方向に沿って測定された長さや距離」を意味している。また、以下の説明において「第１の角パイプを第２の角パイプへ傾いた状態で内挿する」とは、「第１の角パイプの長手方向と第２の角パイプの長手方向が平行でない状態で第１の角パイプを第２の角パイプへ内挿する」ことを意味している。
【００１７】
鉄筋コンクリートや鉄骨鉄筋コンクリートを構造材料とする構築物においてコンクリートスラブを形成する際に、梁型枠の側部やＨ型鋼のフランジに支持具等を介して固定される角材の上面に、上記構造のデッキプレートを設置するとともに、第１の角パイプをその開口端が斜め上を向くように第２の角パイプに対して傾けた状態で内挿すると、第２の角パイプの開口端の部分が上に凸の状態となり、キャンバー（むくり）が形成されるという作用を有する。
そして、このキャンバーは、「第２の角パイプに対する第１の角パイプの傾き」や「第１の角パイプを第２の角パイプへ内挿する長さ」や「第１の角パイプと第２の角パイプの長さの比」に応じて、その量や水平方向の位置が変化するという作用を有する。
さらに、ボルトは先端によって第１の角パイプの下面を押圧することで、第２の角パイプに対して傾いた状態で内挿された第１の角パイプが、自重により平坦部側を中心として上述の傾きが解消されてしまう方向へ第１の平板とともに勝手に回動してしまうことを防ぐという作用を有する。
【００１８】
なお、平坦部が下方へ曲折されている場合や長手方向の中央部分が最も高くなるように全体が湾曲した状態に形成されている場合には、第１の角パイプが第２の角パイプに対して平行に内挿された状態であってもキャンバーが形成されるという作用を有する。
【００１９】
また、第２の発明は、第１の発明において、ボルトと螺合する第２のボルト孔を有する台座を備え、この台座は、第２の角パイプの下面に対し、第１のボルト孔に第２のボルト孔が連通するように設けられていることを特徴とするものである。
上記構造のデッキプレートでは、第１のボルト孔に螺入されたボルトが台座に設けられた第２のボルト孔にも連通した状態となる。すなわち、第２の発明においては、第１の発明の作用に加え、第２の角パイプの板厚が薄い場合でも第１のボルト孔に螺入されたボルトが第２のボルト孔によって保持されるため、ボルトを回す際にその中心軸がぶれ難いという作用を有する。
【００２０】
第３の発明は、第２の発明において、第２の角パイプの下面には、第１のボルト孔の代わりに、ボルトが挿通される挿通孔が第２のボルト孔に連通するように設けられていることを特徴とするものである。
このような構造のデッキプレートにおいては、第２の発明の作用を有することに加え、第２の角パイプの下面に対し、ボルトの挿通孔を設ける方が第１のボルト孔を設ける場合に比べて加工が容易であるというメリットがある。
【００２１】
第４の発明は、第１の発明乃至第３の発明のいずれかの発明において、第２の角パイプは、開口端から長手方向へ所望の長さにわたって、他の部分よりも厚く形成されていることを特徴とするものである。
第１の角パイプが第２の角パイプに内挿された場合、第１の角パイプの下面と接触する第２の角パイプの開口端の下側の端縁には、その開口部を下向きに押し広げようとする力が集中的に作用し易い。そこで、上記構造のデッキプレートでは、上述の力が集中的に作用する箇所の板厚を他の部分よりも厚くしているのである。これにより、第４の発明では、第１の発明乃至第３の発明のいずれかの発明の作用に加えて、第２の角パイプの開口端の強度が高いという作用を有している。
【００２２】
第５の発明は、第４の発明において、第２の角パイプは、第２の平板と接触しない３つの側板の外面に対し、開口端から長手方向へ所望の長さにわたって補強板が接合されていることを特徴とするものである。
上記構造のデッキプレートにおいては、第２の発明の作用に加えて、補強板が設けられた箇所における側板の内面間の距離を変えることなく、第２の角パイプの開口端の強度が高められるという作用を有する。
【００２３】
第６の発明は、第４の発明において、第２の角パイプは、４つの側板の内面に対し、開口端から長手方向へ所望の長さにわたって補強板が接合されていることを特徴とするものである。
上記構造のデッキプレートにおいては、補強板が設けられた箇所における側板の内面間の距離が短くなるため、第５の発明よりも第１の角パイプのサイズに関する制約が大きいものの、第２の発明の作用に加えて、第５の発明よりも第２の角パイプの開口端の強度がさらに高められるという作用を有する。
【００２４】
なお、第４の発明乃至第６の発明において、「第２の角パイプの開口端から長手方向へ所望の長さにわたって」とは、「第２の角パイプの開口端から長手方向に沿って測定した距離が所望の範囲内にある箇所に対して（所定の加工等を行うこと）」を意味している。
【発明の効果】
【００２５】
鉄筋コンクリートや鉄骨鉄筋コンクリートを構造材料とする構築物においてコンクリートスラブを形成する際に、梁型枠の側部やＨ型鋼のフランジに支持具等を介して固定される一対の角材の間にデッキプレートを架け渡すと、デッキプレートには、その長手方向の中央部を最も大きく撓ませるような曲げモーメントが加わる。
この曲げモーメントによってデッキプレートが撓むと、上記角材の上面に載置されたデッキプレートの端部の位置がずれて、その設置状態が変化したり、スラブの平坦度が保たれなくなったりするなどの不具合が生じてしまう。
このような事態を防ぐためには、通常、支保工が用いられるが、支保工を使用すると、それ自体の材料費に加え、設置作業や撤去作業にも費用がかかる。
【００２６】
全長が変わらない使い捨てタイプのデッキプレートであれば、支保工を使用せずとも、曲げモーメントによる撓み量を見込んで、予めデッキプレートにキャンバーを設けることにより、上述の事態に対処することができる。しかしながら、使用後に回収して再利用することを目的とする従来の全長可変型のデッキプレートでは、キャンバーを設けることは容易でない。
これに対し、第１の発明によれば、前述の角材の上面に平坦部側を設置した状態で、第１の角パイプをその開口端が斜め上を向くように傾けて第２の角パイプに内挿するだけで、キャンバーが容易に形成されることから、支保工の省略によるコンクリートスラブの施工費用の削減と、使用後にコンクリートスラブから分離して回収するという２つの課題を同時に解決することができる。
【００２７】
そして、第１の発明においては、「第２の角パイプに対する第１の角パイプの傾き」や「第１の角パイプを第２の角パイプへ内挿する長さ」や「第１の角パイプと第２の角パイプの長さ」の比を変更することで、キャンバーの位置や量を調節することができるため、汎用性に優れている。
さらに、第１の発明では、コンクリートスラブの施工作業の途中で第１の角パイプや第２の角パイプの姿勢が変化してキャンバーが解消されてしまうおそれがないため、安全に作業することができる。
【００２８】
第１の発明において、第２の角パイプの側板が第１のボルト孔に螺入されたボルトの姿勢を保つのに十分な厚さを有していないと、ボルトを回す際にその中心軸がぶれ易い。この場合、ボルトを回し難くなるだけでなく、ボルトを回すために加えた力がボルト孔の縁に対して不均一に加わる結果、その箇所が破損してしまうおそれがある。
これに対し、第２の発明では、第１のボルト孔に螺入されたボルトの中心軸が回動時にぶれ難いことから、第１の発明の効果に加え、ボルトを操作する際の作業性に優れるとともに、繰り返し再利用しても第１のボルト孔が破損し難いという効果を有している。
【００２９】
第２の角パイプの下面側の板厚が薄い場合、内周面に雌ネジ部を有する第１のボルト孔を加工することは容易でない。しかしながら、ボルトと螺合する第２のボルト孔を有する台座が第２の角パイプの下面に設けられている場合には、第１のボルト孔を無理に設ける必要はない。そこで、第３の発明では、当該台座を備えた第２の発明において、第２の角パイプの下面に対し、第１のボルト孔に代えてボルトの挿通孔が第２のボルト孔に連通するように設けられた構造としているのである。
このような構造によれば、第２の角パイプの下面にボルトの挿通孔を設ける方が第１のボルト孔を設ける場合よりも加工が容易であるため、第２の発明の効果に加え、製造コストが削減されるという効果を奏する。
【００３０】
第４の発明によれば、第１の発明乃至第３の発明のいずれかの発明の効果に加え、第２の角パイプの開口端が破損し難いため、繰り返し再利用できるという効果を奏する。
【００３１】
第５の発明では、補強板を設けない場合と同じ大きさの第１の角パイプを使用できることから、第４の発明の効果に加え、設計時の自由度が大きいという効果を奏する。
【００３２】
第６の発明によれば、第５の発明よりも第２の角パイプの開口端がさらに破損し難いため、繰り返し再利用できるという第４の発明の効果がより一層発揮される。
【図面の簡単な説明】
【００３３】
【図１】（ａ）は本発明の実施の形態に係るデッキプレートの実施例１の正面図であり、（ｂ）は同図（ａ）において矢印Ａで示す方向に見た角パイプの部分拡大図である。
【図２】（ａ）は図１（ａ）においてデッキプレートの長手方向に平行な鉛直平面で切断された状態を示す角パイプと平板の部分拡大図であり、（ｂ）は図１（ａ）におけるＢ−Ｂ線矢視断面図である。
【図３】（ａ）及び（ｂ）は本発明のデッキプレートを構成する２種類の型枠部材において一方の型枠部材の角パイプに他方の型枠部材の角パイプが挿設された状態を模式的に示した図である。
【図４】（ａ）は本発明の実施の形態に係るデッキプレートの実施例２の正面図であり、（ｂ）及び（ｃ）は同図（ａ）におけるＣ−Ｃ線矢視断面図である。
【図５】（ａ）及び（ｃ）はそれぞれ本発明の実施の形態に係るデッキプレートの実施例３及び実施例４の正面図であり、（ｂ）及び（ｄ）はそれぞれ実施例３及び実施例４のデッキプレートの形状を模式的に示した図である。
【図６】（ａ）は従来のデッキプレートの正面図であり、（ｂ）及び（ｃ）は同図（ａ）に示したデッキプレートを構成する２種類の型枠部材の平面図である。
【図７】（ａ）及び（ｂ）はコンクリートスラブが形成される様子を模式的に示した図である。
【発明を実施するための形態】
【００３４】
本発明のデッキプレートについて、図１乃至図５を参照しながら具体的に説明する。なお、本発明のデッキプレートは、鉄筋コンクリートや鉄骨鉄筋コンクリートを構造材料とする構築物においてコンクリートスラブを形成する際に、図７に示した梁型枠の側部やＨ型鋼のフランジに支持具等を介して固定される角材の上面に設置されるものである。
したがって、以下の説明では、デッキプレートがそのようにして実際に使用される状態を想定して、「上面」や「下面」などの表現を用いている。
【実施例１】
【００３５】
図１（ａ）は本発明のデッキプレートが２つの梁型枠の側部にそれぞれ固定された角材の間に架け渡された状態を示した図であり、図１（ｂ）は図１（ａ）において矢印Ａで示す方向に見た角パイプの一部を拡大して示した図である。
図２（ａ）は図１（ａ）においてデッキプレートの長手方向に平行な鉛直平面で切断された状態を示す角パイプと平板の部分拡大図であり、図２（ｂ）は図１（ａ）におけるＢ−Ｂ線矢視断面図である。
図３（ａ）及び図３（ｂ）は本発明のデッキプレートを構成する２種類の型枠部材において一方の型枠部材の角パイプに他方の型枠部材の角パイプが挿設された状態を模式的に示した図である。
なお、図６又は図７に示した構成要素については同一の符号を付して、その説明を省略する。
【００３６】
図１及び図２に示すように、本発明のデッキプレート１ａは、型枠部材５２，５３からなり、型枠部材５２を構成する角パイプ５７の下面５７ｃには、内周面に雌ネジ部を有するボルト孔２（図２（ａ）参照）が設けられている。
そして、ボルト孔２には、上記雌ネジ部に螺合するボルト３が角パイプ５７の内部へ突出した先端３ａ（図２（ｂ）参照）によって角パイプ５６の下面５６ｃを押圧可能に螺入されている。
【００３７】
なお、角パイプ５６が角パイプ５７に内挿される部分の長さは、安全面を考慮して、あまり短くなり過ぎないように、予め定められている。したがって、角パイプ５７の開口端５７ａからボルト孔２までの距離が、角パイプ５７に角パイプ５６を内挿する長さが最も短い場合よりも、さらに短くなる位置にボルト孔２を形成すると、角パイプ５７の内部へ突出したボルト３は、先端３ａが角パイプ５６の下面５６ｃに対して、当接可能な状態になる。
【００３８】
また、角パイプ５７の下面５７ｃには、平面視矩形状をなす板材の片面に凸状部が設けられた構造であって、ボルト３に螺合する雌ネジ部が内周面に形成されたボルト孔４ａ（図２（ａ）参照）を有する台座４が、ボルト孔２とボルト孔４ａが連通するように設けられている。この場合、台座４は、ボルト孔２に螺入されたボルト３を回す際に、その中心軸がぶれないようにボルト３を保持するという作用を有する。
ボルト３の中心軸がぶれると、ボルト３を回し難くなるとともに、ボルト３を回す力がボルト孔２の縁に対して不均一に加わるため、その箇所が破損するおそれがあるが、デッキプレート１ａでは、ボルト３に対して台座４が設けられているため、ボルト３を操作し易いだけでなく、ボルト孔２の破損を防ぐことができるという効果を有している。
【００３９】
さらに、図２（ａ）及び図２（ｂ）に示すように、デッキプレート１ａでは、角パイプ５６が、その長手方向が角パイプ５７の長手方向に対して傾いた状態（すなわち、長手方向同士が平行でない状態）で、角パイプ５７へ内挿可能に形成されている。
このような構造のデッキプレート１ａにおいて、２つの梁型枠６０，６０の側部に固定された角材６１，６１（図７（ａ）参照）の上面に扁平端５６ｂ，５７ｂをそれぞれ載置するとともに、角パイプ５６を開口端５６ａが斜め上を向くように角パイプ５７に対して傾けた状態で内挿すると、角パイプ５７の開口端５７ａの部分が上に凸の状態となり、キャンバー（むくり）が形成される。
【００４０】
図３（ａ）及び図３（ｂ）に示すように、角パイプ５７の下面５７ｃの開口端５７ａ側の縁から２つの角材６１，６１（図７（ａ）参照）の上面を含む平面Ｐまでの距離Ｌ１，Ｌ２は、上述のキャンバーに相当する。
そして、このＬ１，Ｌ２の長さは、角パイプ５７に対する角パイプ５６の傾きと、角パイプ５６を角パイプ５７に対して内挿する長さを変えることによって変化する。また、キャンバーが形成される水平方向の位置は、上述の傾きや内挿する長さに加え、角パイプ５６と角パイプ５７の長さの比を変えることによっても変化する。
すなわち、デッキプレート１ａでは、角パイプ５７に対する角パイプ５６の傾きと、角パイプ５６を角パイプ５７へ内挿する長さを変えることによりキャンバーの量と水平方向の位置の調節が可能となっている。
【００４１】
また、ボルト３は先端３ａによって角パイプ５６の下面５６ｃを押圧することで、角パイプ５７に対して傾いた状態で内挿された角パイプ５６が、自重により扁平端５６ｂ（図１（ａ）参照）側を中心として、その傾きが解消されてしまう方向へ平板５４とともに勝手に回動してしまうことを防ぐという作用を有する。
すなわち、デッキプレート１ａにおいては、水平方向の所望の位置に所望の量のキャンバーを容易に設けることができるとともに、そのキャンバーがボルト３によって確実に維持されるため、作業時の安全性に優れている。
そして、デッキプレート１ａによれば、コンクリートスラブを形成する際に支保工を設ける必要がないため、コンクリートスラブの施工に要するコストが削減される。
加えて、デッキプレート１ａは、全体の長さが可変な構造であるため、形成されたコンクリートスラブから分離して回収する作業が容易であるとともに、再利用することが可能である。
【実施例２】
【００４２】
図４（ａ）は本発明の実施の形態に係るデッキプレートの実施例２の正面図であり、図４（ｂ）及び図４（ｃ）は図４（ａ）におけるＣ−Ｃ線矢視断面図である。
なお、図４（ｃ）は図４（ａ）に示したデッキプレートの変形例を示した図であり、図４（ｂ）に対応している。また、図１又は図２に示した構成要素については、同一の符号を付してその説明を省略する。
【００４３】
図４（ａ）乃至図４（ｃ）に示すように、デッキプレート１ｂは、デッキプレート１ａにおいて、角パイプ５７の開口端５７ａの側板に所望の幅の補強板５が設けられていることを特徴とする。
図４（ａ）に示すように、角パイプ５６が角パイプ５７に対して傾いた状態で内挿された場合、角パイプ５６の下面５６ｃと接触する角パイプ５７の開口端５７ａの下側の端縁には、その開口部を下向きに押し広げようとする力が集中的に作用する。そのため、デッキプレート１ｂでは、補強板５によって開口端５７ａ近傍の板厚を他の部分よりも厚くすることで、開口端５７ａの強度を高める構造となっているのである。
なお、角パイプ５７に対して角パイプ５６の開口端５６ａの上側の端縁が接触する部分に関しては、平板５５と、その上に形成されるコンクリートスラブによって十分な強度が得られるため、破損するおそれはない。
【００４４】
以上説明したように、デッキプレート１ｂでは、角パイプ５７において、開口端５７ａの強度が補強板５によって担保されており、当該箇所が破損し難いため、繰り返し再利用することが可能である。
なお、図４（ｂ）に示すように、角パイプ５７において平板５５と接していない３つの側板の外面に補強板５を接合する場合は、補強板５が設けられた箇所における側板の内面間の距離を変えずに、角パイプ５７の開口端５７ａの強度が高められることになる。この場合、補強板５を設けない場合と同じ大きさの角パイプ５６を使用することができるため、設計時の自由度が大きいというメリットがある。
一方、図４（ｃ）に示すように、角パイプ５７を構成する４つの側板の内面に補強板５を接合する場合、補強板５が設けられた箇所では角パイプ５７の内面間の距離が補強板５の厚さだけ短くなるため、角パイプ５６について大きさに関する制約を受けるものの、図４（ｂ）に示した場合よりも開口端５７ａの強度が高められる。この場合、角パイプ５７の開口端５７ａが破損し難いため、繰り返し再利用できるという効果がより一層発揮される。
【実施例３】
【００４５】
図５（ａ）は本発明の実施の形態に係るデッキプレートの実施例３の正面図であり、図５（ｂ）はその形状を模式的に示した図である。なお、図１又は図２に示した構成要素については、同一の符号を付してその説明を省略する。
図５（ａ）及び図５（ｂ）に示すように、デッキプレート１ｃは、実施例１のデッキプレート１ａにおいて、扁平端５６ｂ，５７ｂが下方へ曲折されていることを特徴とする。
このような構造のデッキプレート１ｃにおいては、２つの梁型枠６０，６０の側部に固定された角材６１，６１（図７（ａ）参照）の上面に扁平端５６ｂ，５７ｂをそれぞれ載置するとともに、角パイプ５６を角パイプ５７に対して平行に内挿すると、扁平端５６ｂ，５７ｂ以外の部分が扁平端５６ｂ，５７ｂよりも上方に配置された状態となり、キャンバー（むくり）が形成される。
【００４６】
このとき、キャンバーの量は、曲折された扁平端５６ｂ，５７ｂの角パイプ５６，５７に対する角度に応じて異なる。すなわち、デッキプレート１ｃでは、扁平端５６ｂ，５７ｂの角パイプ５６，５７に対する角度を変えることによりキャンバーの量の調節が可能となっている。
また、ボルト３は、先端３ａによって角パイプ５６の下面５６ｃを押圧することで、平板５４，５５の上面５４ａ，５５ａに打設されたコンクリートの重量により、キャンバーが解消されてしまう方向へ型枠部材５２，５３が簡単に移動してしまうことを防ぐという機能を有している。
【００４７】
このように、デッキプレート１ｃでは、キャンバーが勝手に解消されてしまうことがないため、作業時の安全性に優れている。
そして、コンクリートスラブを形成する際に支保工を設ける必要がないため、デッキプレート１ｃにおいてもコンクリートスラブの施工に要するコストが削減される。また、デッキプレート１ｃは、全体の長さが可変であるため、形成されたコンクリートスラブから回収して再利用することが可能である。
【実施例４】
【００４８】
図５（ｃ）は本発明の実施の形態に係るデッキプレートの実施例４の正面図であり、図５（ｄ）はその形状を模式的に示した図である。なお、図１又は図２に示した構成要素については、同一の符号を付してその説明を省略する。
図５（ｃ）及び図５（ｄ）に示すように、デッキプレート１ｄは、実施例１のデッキプレート１ａにおいて、２つの梁型枠６０，６０の側部に固定された角材６１，６１（図７（ａ）参照）の上面に扁平端５６ｂ，５７ｂがそれぞれ載置された場合に、長手方向の中央部分が最も高くなるように全体が湾曲した状態に形成されていることを特徴とする。
【００４９】
デッキプレート１ｄを２つの梁型枠６０，６０の側部に固定された角材６１，６１の間に架け渡すと、キャンバー（むくり）が形成される。なお、ボルト３は、平板５４，５５の上面５４ａ，５５ａにコンクリートが打設された際に型枠部材５２，５３が勝手に移動して、キャンバーが解消されてしまうことがないように、先端３ａによって角パイプ５６の下面５６ｃを押圧することで、型枠部材５２，５３の移動を制限するという機能を有している。
【００５０】
以上説明したように、デッキプレート１ｄは、全長が可変であり、かつ、コンクリートスラブを施工する際に長手方向の中央部分を支持するための支保工の設置が不要であることから、コンクリートスラブの施工費用が削減されるとともに、形成されたコンクリートスラブからの回収が容易であるという効果を有している。
【００５１】
デッキプレート１ａ〜１ｄでは、角パイプ５７の下面５７ｃと台座４にボルト孔２とボルト孔４ａがそれぞれ設けられているが、本発明のデッキプレートはこのような構造に限定されるものではない。
例えば、ボルト孔は角パイプ５７の下面５７ｃと台座４のうちの少なくともいずれか一方に設けられていれば良い。すなわち、ボルト孔２とボルト孔４ａのいずれかの代わりに、内周面に雌ネジ部が形成されていない挿通孔が設けられた構造であっても良い。また、角パイプ５７の側板を厚くして、台座４を設けない構造とすることもできる。
なお、角パイプ５７の下面５７ｃに、ボルト孔２の代わりに挿通孔を設ける場合、ボルト孔２を設ける場合よりも加工が容易であるため、製造コストが削減されるというメリットがある。
【００５２】
また、デッキプレート１ｃ，１ｄについて、角パイプ５７の開口端５７ａの側板に所望の幅の補強板５が設けられた構造とすることもできる。この場合、デッキプレート１ｃ，１ｄにおいてもデッキプレート１ｂと同様の作用及び効果が発揮される。
【産業上の利用可能性】
【００５３】
本発明は、鉄筋コンクリートや鉄骨鉄筋コンクリートを構造材料とする構築物において多層建築物の床や天井等にコンクリートスラブを施工する際に適用可能である。
【符号の説明】
【００５４】
１ａ〜１ｄ…デッキプレート  ２…ボルト孔  ３…ボルト  ３ａ…先端  ４…台座  ４ａ…ボルト孔  ５…補強板  ５１…デッキプレート  ５２，５３…型枠部材  ５４，５５…平板  ５４ａ，５５ａ…上面  ５４ｂ，５５ｂ…下面  ５６，５７…角パイプ  ５６ａ，５７ａ…開口端  ５６ｂ，５７ｂ…扁平端  ５６ｃ，５７ｃ…下面  ５８…スラブ  ５９…支保工  ６０…梁型枠  ６１…角材  ６２…枕木  ６３…梁  ６４…スラブ  
【図１】
2019167783.tif 000003
【図２】
2019167783.tif 000004
【図３】
2019167783.tif 000005
【図４】
2019167783.tif 000006
【図５】
2019167783.tif 000007
【図６】
2019167783.tif 000008
【図７】
2019167783.tif 000009
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
建築物の床や天井等にコンクリートスラブを形成する際に型枠の一部として用いられるデッキプレートであって、
一端から所望の長さにわたって扁平状に押し潰されるようにして平坦部を有する第１の扁平端が設けられた第１の角パイプと、
一端から所望の長さにわたって扁平状に押し潰されるようにして平坦部を有する第２の扁平端が設けられた第２の角パイプと、
前記第１の角パイプの上面が開口端から所望の距離内にある箇所を除いて下面に接合された第１の平板と、
前記第２の角パイプの上面が下面に接合された第２の平板と、
前記第２の角パイプの下面に設けられた第１のボルト孔に螺合するボルトと、を備え、
前記第１の角パイプの前記開口端は前記第２の角パイプの開口端に対して挿通可能に形成されており、
前記第１の平板及び前記第２の平板は、
前記第１の角パイプを前記第２の角パイプへ内挿可能に、前記第１の角パイプ及び前記第２の角パイプに対してそれぞれ接合され、
前記第１のボルト孔は、
前記第２の角パイプの内部に突出するように螺入された前記ボルトの先端によって前記第１の角パイプの下面を押圧可能な箇所に形成され、
前記第１の角パイプは、前記第１の扁平端が前記第１の平板と鈍角をなすように下方へ曲折され、
前記第２の角パイプは、前記第２の扁平端が前記第２の平板と鈍角をなすように下方へ曲折されていることを特徴とするデッキプレート。
【請求項２】
前記ボルトと螺合する第２のボルト孔を有する台座を備え、
この台座は、前記第２の角パイプの前記下面に対し、前記第１のボルト孔に前記第２のボルト孔が連通するように設けられていることを特徴とする請求項１に記載のデッキプレート。
【請求項３】
前記第２の角パイプの前記下面には、前記第１のボルト孔の代わりに、前記ボルトが挿通される挿通孔が前記第２のボルト孔に連通するように設けられていることを特徴とする請求項２に記載のデッキプレート。
【請求項４】
前記第２の角パイプは、前記開口端から長手方向へ所望の長さにわたって、他の部分よりも厚く形成されていることを特徴とする請求項１乃至請求項３のいずれか１項に記載のデッキプレート。
【請求項５】
前記第２の角パイプは、前記第２の平板と接触しない３つの側板の外面に対し、前記開口端から長手方向へ所望の長さにわたって補強板が接合されていることを特徴とする請求項４に記載のデッキプレート。
【請求項６】
前記第２の角パイプは、４つの側板の内面に対し、前記開口端から長手方向へ所望の長さにわたって補強板が接合されていることを特徴とする請求項４に記載のデッキプレート。